(57)【要約】【課題】切断材を載置するテーブルが水平回転可能で、ロック機構によりテーブルの回転位置をロックする構成とした卓上切断機において、テーブルロックのための操作性を確保しつつ、テーブルに対する十分な固定力が発揮されるようにすることを目的とする。【解決手段】第１の回転ロック機構３１において、操作部材３３の回転操作により発生するねじ力が、伝達ブラケット３６と伝達ロッド４０を介してロック部材４２に伝達される構成とする。ねじ軸部３５を当接させて直接ねじ力を作用させる部位が従来よりも伝達ブラケット３６と伝達ロッド４０の分だけ操作者側に近い部位となることから、ねじ力の伝達ロスを小さくしてテーブルに対する固定力を高めることができる。【選択図】図１０
2018075692.tif 000002
【特許請求の範囲】
【請求項１】
切断材を載置するテーブルと、該テーブルを水平回転可能に支持するベースを備えた卓上切断機であって、
前記テーブルと前記ベースとの間に、該テーブルの前記ベースに対する回転位置をロックする回転ロック機構が介装されており、
該回転ロック機構は、ねじ軸部を有する操作部材と、前記ベースに設けた被ロック部を押圧するロック部材と、前記操作部材と前記ロック部材との間に介装された伝達部材を備え、
前記操作部材の前記ねじ軸部回りの回転操作により発生する前記ねじ軸部の軸線方向のねじ力が前記伝達部材を介して前記ロック部材に伝達され、該ロック部材は回転によって前記伝達部材からの力の方向を変換し、該変換された力によって該ロック部材が前記被ロック部を押圧することで前記ベースに対する前記テーブルの回転位置をロックする構成とした卓上切断機。
【請求項２】
請求項１記載の卓上切断機であって、前記ねじ軸部の軸線方向に対して、前記ロック部材は、前記ねじ軸部の軸線方向とは異なる方向へ変位して前記被ロック部が押圧される構成とした卓上切断機。
【請求項３】
請求項１又は２に記載の卓上切断機であって、被ロック部は前記ベースに設けられたロック板部で構成されており、前記操作部材のロック方向への回転操作により前記ねじ軸部が使用者側から後方へ変位し、該ねじ軸部の後方への変位により発生するねじ力により前記ロック部材が上方へ変位して前記ロック板部が挟み込まれる構成とした卓上切断機。
【請求項４】
請求項１〜３の何れか１項に記載した卓上切断機であって、前記ロック部材は、上方へ延びる入力部と前方へ延びる出力部を有し、前記入力部の下部であって前記出力部の後部に配置した支軸を介して上下に揺動可能に支持されており、前記ねじ軸部の後方への変位により前記入力部が後方へ押されて前記出力部が上方へ変位し、該出力部が上方へ変位して前記被ロック部が挟み込まれる構成とした卓上切断機。
【請求項５】
請求項１〜４の何れか１項に記載した卓上切断機であって、前記被ロック部を前記ロック部材で押圧して前記テーブルの回転位置をロックする第１の回転ロック機構に加えて、突部を前記テーブルの径方向に進退させて前記ベースに設けた凹部に係合させて該テーブルの回転位置をロックするポジティブロック式の第２の回転ロック機構を備えており、
前記テーブルの上面に直交する平面的に見て、前記第１の回転ロック機構の前記ねじ軸部は、前記第２の回転ロック機構の前記突部に対して左右方向に一致して配置され、前記第１の回転ロック機構の伝達部材は、前記第２の回転ロック機構の前記突部に対して左右方向にずれて平行に配置された卓上切断機。
【発明の詳細な説明】
【技術分野】
【０００１】
この発明は、スライドマルノコや卓上マルノコと称される、主として木材の切断加工に用いられる卓上切断機に関する。
【背景技術】
【０００２】
この種の卓上切断機は、切断材を載置するテーブルと、このテーブルの後部に上下に移動操作可能に支持された切断機本体を備えている。切断機本体は、電動モータを駆動源として回転する円形の切断刃（刃具）を備えている。この切断機本体を下動させて回転する回転刃をテーブル上の切断材に切り込むことにより切断加工が行われる。
【０００３】
この種の卓上切断機は、テーブルがベース上に水平回転可能に支持されており、テーブルを回転させることにより切断材に対する切断刃の切込み角度を任意に変更していわゆる斜め切り加工を行うことができる。
【０００４】
テーブルの回転位置は、回転ロック機構（マイタロック機構）により固定される。回転ロック機構には、ベース側に予め一定角度ごとに設けたロック孔にロックピン等を進入させてテーブルを一定の角度位置にロックするポジティブロックタイプのロック機構と、ベース側にロックピン等をねじ力やばね力で押し付けて、ポジティブロックタイプでは位置決めできない任意の角度位置にテーブルをロックできるフリーロックタイプのロック機構が用いられている。後者のフリーロックタイプの回転ロック機構に関する技術が下記の特許文献に開示されている。
【０００５】
特許文献１には、ねじ軸の先端をベースに設けた壁部に直接押圧してテーブルの回転位置をロックする構成が開示されている。特許文献２には、ねじ軸の先端を揺動ロック部材を介してベース側に押圧してテーブルの回転位置をロックする構成が開示されている。特許文献３には、ロック部材をねじ力でベース側に押圧してテーブルの回転位置をロックする構成が開示されている。特許文献４には、ベース側に設けたロック板をばね力で挟み込んでテーブルの回転位置をロックする構成が開示されている。
【先行技術文献】
【特許文献】
【０００６】
【特許文献１】特開平５−３１８４０２号公報
【特許文献２】特開平９−１３１７０１号公報
【特許文献３】特開２００２−２００６０２号公報
【特許文献４】特開２０１０−５８２２９号公報
【発明の概要】
【発明が解決しようとする課題】
【０００７】
後者のフリーロックタイプの回転ロック機構については、特にその操作性についてさらに改善する必要があった。テーブルの回転位置を任意の角度位置でロックする操作としては操作部を回転させてねじ力を作用させる操作が多くの使用者の操作感覚として好まれる。このため、ばね力を作用させてテーブルの回転位置をロックする構成（特許文献４）では、使用者の操作感が損なわれる問題があった。
【０００８】
また、ねじ力を作用させてテーブルの回転位置をロックする構成（特許文献１−３）では、摩擦やたわみ等の操作力の伝達ロスが大きく、十分な固定力を得るため注意深く操作せねばならず、その点で操作性が悪かった。
【０００９】
本発明は、ばね力ではなくねじ力を作用させることにより使用者の良好な操作感を確保しつつ、操作力の伝達性を改善することを目的とする。
【課題を解決するための手段】
【００１０】
上記の課題は、以下の各発明により解決される。第１の発明は、切断材を載置するテーブルと、該テーブルを水平回転可能に支持するベースを備えた卓上切断機である。第１の発明に係る卓上切断機では、テーブルとベースとの間に、テーブルのベースに対する回転位置をロックする回転ロック機構が介装されている。第１の発明では、回転ロック機構は、ねじ軸部を有する操作部材と、ベースに設けた被ロック部を押圧するロック部材と、操作部材とロック部材との間に介装された伝達部材を備えている。第１の発明に係る回転ロック機構では、操作部材のねじ軸部回りの回転操作により発生するねじ力(ねじ軸部の軸線方向のねじ力）が伝達部材を介してロック部材に伝達され、ロック部材はねじ力により回転して伝達部材から伝達されたねじ力の方向を変換する。作用方向を変換されたねじ力により当該ロック部材が被ロック部に押圧されてベースに対するテーブルの回転位置がロックされる。
【００１１】
第１の発明によれば、操作部材の回転操作により発生するねじ力によりロック部材が回転してテーブルの回転位置がロックされることから、使用者の良好な操作感が確保される。また、操作部材の回転操作により発生するねじ力が、伝達部材を介してロック部材に伝達される構成であることから、ねじ軸部を当接させて直接ねじ力を作用させる部位（ねじ軸の先端部）が従来よりも伝達部材の分だけ操作者側に近い部位となり、これによりねじ力の伝達ロスを小さくすることができる。操作部材の回転操作により発生したねじ力の伝達ロスを小さくすることにより、ロック部材に対して操作部材の回転操作力を効率よく伝達して被ロック部に対する安定した押圧力を確保することができる。
【００１２】
第２の発明は、第１の発明において、ねじ軸部の軸線方向に対して、ロック部材は、ねじ軸部の軸線方向とは異なる方向へ変位して被ロック部が押圧される構成とした卓上切断機である。
【００１３】
第２の発明によれば、押圧によりロック部材に付加される被ロック部（ベース側）からの反力が異なる方向に分散されて直接的にねじ軸部ひいては操作部材に作用しないことから、操作部材の良好な操作性が阻害されないようにすることができる。
【００１４】
第３の発明は、第１又は第２の発明において、被ロック部はベースに設けられたロック板部で構成されている。操作部材のロック方向への回転操作によりねじ軸部が使用者側から後方へ変位し、ねじ軸部の後方への変位により発生するねじ力によりロック部材が上方へ変位してロック板部が挟み込まれる構成とした卓上切断機である。
【００１５】
第３の発明によれば、ロック部材の変位方向（ロック板部に対する挟み込み方向）が上方であることから、テーブルの浮き上がりや前後左右への芯ずれを発生することがなく、これにより高精度の切断加工を行うことができる。
【００１６】
第４の発明は、第１〜第３の何れか一つの発明において、ロック部材は、上方へ延びる入力部と前方へ延びる出力部を有し、入力部の下部であって出力部の後部に配置した支軸を介して上下に揺動可能に支持されており、ねじ軸部の後方への変位により入力部が後方へ押されて出力部が上方へ変位して、被ロック部（ロック板部）が当該出力部とテーブルとの間に挟み込まれる構成とした卓上切断機である。
【００１７】
第４の発明によれば、ねじ軸部の後方への変位により発生するねじ力により、ロック部材の入力部が後方へ押される。入力部が後方へ押されることにより、当該ロック部材が支軸を中心にして上方へ揺動してその出力部が上方へ変位する。出力部が上方へ変位して被ロック部（ロック板部）の下面に押し付けられることにより、当該被ロック部が出力部とテーブルとの間で上下に挟み込まれてベースに対するテーブルの回転位置がロックされる。このように第４の発明によれば、後方へ向けたねじ力の作用方向がロック部材を介して上方に変換されて被ロック部に作用することによりテーブルの回転位置がロックされる。このことから、第４の発明によれば、ねじ力の作用方向が後方で、ベース側からの反力方向が下方であり、異なる方向であることから、操作部材に対する反力の影響を小さくしてその良好な操作性を確保しつつ、ねじ力の伝達ロスを小さくしてテーブルの回転位置を強固にロックすることができる。
【００１８】
第５の発明は、第１〜第４の何れか一つの発明において、被ロック部をロック部材で押圧してテーブルの回転位置をロックする第１の回転ロック機構に加えて、突部をテーブルの径方向に進退させてベースに設けた凹部に係合させてテーブルの回転位置をロックするポジティブロック式の第２の回転ロック機構を備えた卓上切断機である。第５の発明に係る卓上切断機では、テーブルの上面に直交する平面的に見て、第１の回転ロック機構のねじ軸部は、第２の回転ロック機構の突部に対して左右方向に一致して配置され、第１の回転ロック機構の伝達部材は、第２の回転ロック機構の突部に対して左右方向にずれて平行に配置された構成となっている。
【００１９】
第５の発明によれば、第１の回転ロック機構の操作部と第２の回転ロック機構の操作部については上下に配置してその操作性を確保しつつ、ベースに対する係合部側であって第１の回転ロック機構の伝達部材及びロック部材については、第２の回転ロック機構の突部に対して右方又は左方へずれて配置することにより、当該第１及び第２の回転ロック機構を上下方向にコンパクトに組み込むことができ、ひいてはテーブル上面の高さを低くして当該切断機の操作性を高めることができる。
【図面の簡単な説明】
【００２０】
【図１】本実施形態に係る卓上切断機の全体斜視図である。本図は、前方斜め左側から見た状態を示している。
【図２】本実施形態に係る卓上切断機を左側（正面側）から見た全体側面図である。
【図３】本実施形態に係る卓上切断機の全体平面図である。
【図４】本実施形態に係る卓上切断機を前側（使用者側）から見た全体前面図である。
【図５】本実施形態に係る卓上切断機を右側（背面側）から見た全体側面図である。
【図６】本実施形態に係る卓上切断機を後側から見た全体後面図である。
【図７】テーブル及びベースの平面図である。
【図８】テーブル及びベースの下面図である。
【図９】テーブルの回転ロック操作部を下方から見た下面図である。
【図１０】図９の(X)-(X)線断面矢視図であって、テーブルの主として前部側の縦断面図である。本図では、主として第１の回転ロック機構が示されている。
【図１１】図９の(XI)-(XI)線断面矢視図であって、テーブルの主として前部側の縦断面図である。本図では、主として第２の回転ロック機構が示されている。
【図１２】図１０の(XII)-(XII)線断面矢視図であって、回転ロック操作部の縦断面図である。
【図１３】テーブルの後部及び本体支持部の下部の右側面図である。
【図１４】図１３の(XIV)-(XIV)線断面矢視図であって、直角位置決め機構の縦断面図である。本図では、傾斜受け部が縦断面で示されている。
【図１５】傾斜位置決め機構の左側面図である。本図では、傾斜位置決めロッドが後側の４５°位置決め位置に移動した状態が示されている。
【図１６】傾斜位置決め機構の左側面図である。本図では、傾斜位置決めロッドが前側の４８°位置決め位置に移動した状態が示されている。
【図１７】図１５の(XVII)- (XVII)線断面矢視図であって、傾斜位置決め機構の縦断面図である。本図では、傾斜支持部が縦断面で示されている。
【図１８】傾斜位置決めロッド単独の斜視図である。
【図１９】傾斜固定機構の縦断面図である。
【図２０】傾斜固定機構の後面図である。
【図２１】図２０の(XXI)-(XXI)線断面矢視図であって、第２プーリ及びその周辺の縦断面図である
【図２２】切断機本体の平面図である。本図は、切断機本体を下動端まで揺動させた状態を示している。
【図２３】図２２の(XXIII)- (XXIII)線断面矢視図であって、切断機本体の縦断面図である。本図は、切断機本体を下動端まで揺動させた状態を前側から見た状態を示している。
【図２４】図２２の(XXIV)- (XXIV)線断面矢視図であって、切断機本体の縦断面図である。本図は、切断機本体を下動端まで揺動させた状態を前側から見た状態を示している。
【図２５】電動モータの横断面図である。
【図２６】図５の(XXVI)-(XXVI)線断面矢視図であって、本体側接続口に対する集塵ホース接続部の横断面図である。
【図２７】図５の(XXVII)-(XXVII)線断面矢視図であって、中継ダクトの支持側接続口に対する集塵ホース接続部の横断面図である。
【図２８】図５の(XXVIII)-(XXVIII)線断面矢視図であって、中継ダクトの横断面図である。
【図２９】卓上切断機の全体平面図である。本図は、引き出したホルダ金具上に補助フェンスを収納した状態を示している。
【図３０】ホルダ金具上に収納した補助フェンスを斜め下方から見た斜視図である。
【図３１】補助フェンスを斜め下方から見た斜視図である。
【図３２】卓上切断機の全体斜視図である。本図は、左斜め前方から見た状態を示している。本図は、縦バイスを取り付けた状態を示している。
【図３３】図２９〜図３２に示す実施形態の変形例を示す図である。本図は、補助フェンスをベースの台座部に面一に保持した状態を示している。
【図３４】卓上切断機の全体斜視図である。本図は、ベースの台座部に面一に保持した補助フェンスに縦バイスを支持した状態を示している。
【図３５】卓上切断機の全体斜視図である。本図は、切断機本体を下動端位置まで揺動させた状態を示している。
【図３６】揺動ロック機構の横断面図である。本図は、ロック状態を示している。
【図３７】揺動ロック機構の横断面図である。本図は、アンロック状態を示している。
【図３８】卓上切断機の全体斜視図である。本図は、下動端位置まで揺動させた切断機本体をスライド後退端位置までスライドさせた収納状態を示している。
【発明を実施するための形態】
【００２１】
次に、本発明の実施形態を図１〜図３８に基づいて説明する。図１〜６は、本実施形態に係る卓上切断機１の全体を示している。図１及び図２において、使用者は、当該卓上切断機１の右側に位置して切断作業を行う。以下の説明において、部材及び構成の前後左右上下の各方向については使用者を基準にして用いる。使用者から見て手前側を前側（使用者側）とする。
【００２２】
この卓上切断機１は、スライドマルノコとも称される卓上形の切断機で、切断材Ｗを載置するためのテーブル２０と、このテーブル２０を水平回転可能に支持するベース１０と、円形の刃具１０２を備えた切断機本体１００を備えている。図１〜６では見えていないが、テーブル２０は、ベース１０の上面ほぼ中央に設けた回転支軸２１を介して水平回転可能に支持されている。回転支軸２１は、図７において刃口板２２の下方に見えている。刃口板２２は、刃具１０２を逃がすための溝孔を有する帯板部材で、テーブル２０の上面に面一に取り付けられている。刃口板２２の溝孔は、回転支軸２１（テーブル２０の回転中心）を通って半径方向に長く設けられている。
【００２３】
テーブル２０の上面側には、刃口板２２と、切断材Ｗを面方向に位置決めするための位置決めフェンス８０が設けられている。テーブル２０の前部には、その回転位置をロックするための回転ロック操作部３０が設けられている。テーブル２０の後部には、本体支持部６０を介して切断機本体１００が支持されている。本体支持部６０は、テーブル２０に上方において切断機本体１００を上下に揺動操作可能、左右に傾斜操作可能かつ前後にスライド操作可能に支持する機能を備えている。切断機本体１００を下方へ揺動操作してテーブル２０上に載置した切断材Ｗに刃具１０２が切り込まれる。また、刃具１０２の切り込み状態で切断機本体１００を後方へスライドさせることにより、切断材Ｗの切断加工が後方へ進行して幅広の切断材Ｗを切断加工することができる。
【００２４】
［テーブル２０の回転ロック機構］
ベース１０に対するテーブル２０の回転位置は、第１の回転ロック機構３１と第２の回転ロック機構３２の何れか一方を選択して用いることにより一定の角度位置にロックすることができる。図７及び図８に示すように第１及び第２の回転ロック機構３１，３２の操作部はテーブル２０の前部に設けた回転ロック操作部３０に配置されている。第１及び第２の回転ロック機構３１，３２の詳細が図９以降に示されている。第１の回転ロック機構３１は、テーブル２０を任意の角度位置にロックする機能を有している。第１の回転ロック機構３１は回転ロック操作部３０に配置した操作部材３３を回転操作することによりロック、アンロック操作される。第２の回転ロック機構３２は、同じく回転ロック操作部３０に配置した操作部材３４を上下に揺動操作することによりロック、アンロック操作される。
【００２５】
図１０及び図１１に示すように第１の回転ロック機構３１の操作部材３３は、ねじ軸部３５の端部に取り付けられている。ねじ軸部３５は、テーブル２０の前部に設けた２つの支持壁部２０ａ，２０ｂ間に跨って支持されている。ねじ軸部３５は、２つの支持壁部２０ａ，２０ｂを貫通する状態でその軸回りに回転可能に支持されている。ねじ軸部３５は、前側の支持壁部２０ａに設けた支持孔２０ｄ内に径方向にガタつきなく軸方向に変位可能に挿通されている。ねじ軸部３５の後部には、ねじ部３５ａが設けられている。ねじ部３５ａは、後側の支持壁部２０ｂに設けたねじ孔２０ｃに締め込まれている。このため、操作部材３３を回転操作すると、ねじ部３５ａのねじ孔２０ｃに対するねじ嵌合作用により、ねじ軸部３５がその軸方向（前後方向）に進退する。操作部材３３をロック側に回転操作すると、ねじ部３５ａがねじ孔２０ｃに対して締め込まれてねじ軸部３５が後側へ変位する。逆に、操作部材３３をアンロック側に回転操作すると、ねじ部３５ａがねじ孔２０ｃに対して緩められてねじ軸部３５が前側へ変位する。
【００２６】
ねじ軸部３５の後方には、伝達ブラケット３６が支持されている。伝達ブラケット３６は、左右に長い帯鋼板を図示するように断面クランク形に折り曲げた金属製の中間介在物で、上側当接部３６ａと下側当接部３６ｂを備えている。図１２に示すように伝達ブラケット３６は、テーブル２０の下面に設けた左右一対の台座部２０ｅに跨って移動可能に取り付けられている。伝達ブラケット３６は、２本の固定ねじ３７で取り付けられている。伝達ブラケット３６には、右側の挿通孔３６ｃと、左側の挿通溝孔３６ｄが設けられている。右側の挿通孔３６ｃは円形孔に形成され、左側の挿通溝孔３６ｄは前後に長い長溝孔形状に形成されている。右側の挿通孔３６ｃと左側の挿通溝孔３６ｄには、それぞれ鉄を素材とする円環形状のスリーブ部材３８が装着されている。２つのスリーブ部材３８の内周側にそれぞれ固定ねじ３７が挿通されている。伝達ブラケット３６は、右側のスリーブ部材３８を中心として水平に回転可能に支持されており、この回転動作によって伝達ロッド４０が後方に押される。
【００２７】
伝達ブラケット３６の上側当接部３６ａの前面にねじ軸部３５の後端が当接されている。このため、上記したように操作部材３３をロック方向に回転操作すると、ねじ軸部３５が後側へ変位して伝達ブラケット３６が後方へ押される。伝達ブラケット３６は、ねじ軸部３５の押圧力によりスリーブ部材３８を中心に回転しつつ、後方へ移動する。
【００２８】
伝達ブラケット３６の下側当接部３６ｂの後面には、伝達ロッド４０の前端が当接されている。伝達ロッド４０は、テーブル２０の下面に設けたロッド受け部４１を介してその軸方向（前後方向）に変位可能に支持されている。また、図９に示すように伝達ロッド４０は、ねじ軸部３５に対して左側にずれて平行に配置されている。伝達ブラケット３６が後方へ回転することにより、伝達ロッド４０が後方へ移動する。
【００２９】
図１０に示すように伝達ロッド４０の後方には、ロック部材４２が支持されている。ロック部材４２は、テーブル２０の下面に支軸４３を介して上下に回動可能に支持されている。ロック部材４２は、支軸４３から上方へ延びる入力部４２ａと、支軸４３が前方へ延びる出力部４２ｂを有するＬ字形を有している。入力部４２ａの前面に、伝達ロッド４０の後端部が当接されている。このため、伝達ロッド４０が後方へ移動すると、入力部４２ａが後方へ押され、その結果ロック部材４２が支軸４３を中心にしてロック側（入力部４２ａを後方へ変位させる方向であって、図１０において時計回り方向）に回動する。このように、本実施形態では、伝達ブラケット３６と伝達ロッド４０が、操作部材３３の回転操作により発生するねじ力をロック部材４２に伝達するための伝達部材として機能する。
【００３０】
入力部４２ａが後方へ押されてロック部材４２がロック側に回動すると、出力部４２ｂが上方へ変位する。出力部４２ｂの上方には、ベース１０側に設けた被ロック部が位置している。本実施形態では、ベース１０側にロック板部１１を固定して被ロック部としている。ロック板部１１の上方には、テーブル２０の下面に設けた挟み込みリブ２０ｆが位置している。ロック部材４２がロック側に回動すると、その出力部４２ｂが上方へ変位してロック板部１１が出力部４２ｂと挟み込みリブ２０ｆとの間に挟み込まれる。
【００３１】
操作部材３３の回転操作によりなされるねじ軸部３５の後退動作によりねじ力が発生する。このねじ力が、伝達ブラケット３６及び伝達ロッド４０を経てロック部材４２に伝達される。ねじ軸部３５の後退動作によりロック部材４２の出力部４２ｂが上方へ変位することにより、ロック板部１１が挟み込まれてベース１０に対するテーブル２０の回転位置がロックされる。ロック板部１１を出力部４２ｂと挟み込みリブ２０ｆとの間に挟み込んでロックする構成であることから、テーブル２０を一定の角度範囲で任意の角度位置にロックすることができる。
【００３２】
このように上記第１の回転ロック機構３１によれば、伝達部材としての伝達ブラケット３６と伝達ロッド４０を介してねじ力をロック部材４２に間接的に伝達する構成であり、ねじ軸部３５は比較的使用者に近い部位において伝達ブラケット３６に押圧される構成となっている。これに対して、従来特開平９−１３１７０１号公報に開示されているように、長いねじ軸部をロック部材に押圧する構成では、ねじ軸部先端のロック部材に対する変位（押圧位置のずれ）が大きく、結果として伝達ロスが大きくなってロック部材の固定力が十分に発揮されなくなる問題があった。上記例示した第１の回転ロック機構３１では、伝達部材の分だけ短いねじ軸を押圧する構成であることから、ねじ力の伝達ロスを従来よりも低減させることができ、これによりロック部材４２の十分なテーブルロック力を発揮させることができる。
【００３３】
また、第１の回転ロック機構３１によれば、ベース１０側のロック板部１１を上下で挟み込んでテーブル２０の回転位置をロックする構成であるので、ロック時におけるテーブル２０の変位をなくすことができる。この点、例えば特開平５−３１８４０２号公報、特開平９−１３１７０１号公報、特開２００２−２００６０２号公報、特開２０１０−５８２２９号公報に開示されているように従来は、ロック部材をベース側に一方的に押圧してテーブルの回転位置をロックする構成であったことから、ロック部材の押圧に伴う反動によりテーブルが僅かに浮き上がる等して切断精度が損なわる問題があった。上記例示した第１の回転ロック機構３１では、ベース１０側のロック板部１１を、ロック部材４２の出力部４２ｂとテーブル２０の挟み込みリブ２０ｆとにより上下で挟み込んでロックする構成であるので押圧による反動が上下で相殺される結果、ベース１０に対するテーブル２０の浮き上がり等の位置ずれを生ずることがなく、これにより高い切断精度を確保することができる。
【００３４】
本実施形態に係る卓上切断機１は、第１の回転ロック機構３１に加えて第２の回転ロック機構３２を備えている。第２の回転ロック機構３２は、テーブル２０を一定の角度範囲で、予め設定した複数の角度位置にテーブルをロックすることができる（ポジティブロック）。第２の回転ロック機構３２の操作部材３４は、同じく回転ロック操作部３０に配置されている。回転ロック操作部３０の左側部には、操作部材３４の押し下げ位置（アンロック位置）を保持するための操作ノブ３９が設けられている。図１０及び図１１に示すように操作部材３４は、その後部側に一体に設けた揺動軸部３４ｃを介して回転ロック操作部３０に上下に揺動操作可能に支持されている。操作部材３４の前部に、使用者が押し下げ操作する操作部３４ａが設けられている。
【００３５】
揺動軸部３４ｃよりも前側において、操作部材３４には、係合軸４６を介して突部が連携されている。本実施形態では、突部としてロックピン４７が用いられている。係合軸４６はロックピン４７よりも十分に細径のピンで、ロックピン４７の中心軸を通って径方向に挿入されて左右両方向に突き出す状態に設けられている。係合軸４６は、操作部材３４の斜面部３４ｂに下方から当接されている。ロックピン４７は、支持壁部２０ａとロッド受け部４１を介して前後に変位可能に支持されている。ロックピン４７は、前記第１の回転ロック機構３１のねじ軸部３５と平行に配置されている。また、ロックピン４７は、図９に示すように平面的に見ると、ねじ軸部３５と同軸に配置されている。このため、ロックピン４７は、第１の回転ロック機構３１の伝達ロッド４０とは左右方向にずれて平行に配置されている。
【００３６】
操作部材３４は、係合軸４６と支持壁部２０ａとの間に介装した圧縮ばね４８によりロックピン４７を後方に付勢し、係合軸４６が斜面部３４ｂを下方から押圧することにより上方（ロック側）へ揺動する方向に付勢されている。この圧縮ばね４８に抗して操作部３４ａを押し下げ操作することにより操作部材３４を下方（アンロック側）に揺動操作することができる。操作部材３４を上下に揺動操作すると、ロックピン４７が前後に進退する。ロックピン４７の後方であって、ベース１０の前部一定の角度範囲には、複数のロック凹部１２が設けられている。複数のロック凹部１２は、予め設定した角度ごとに設けられている。
【００３７】
図１１に示すように操作部材３４が圧縮ばね４８の付勢力により上方のロック位置側に位置する状態では、ロックピン４７が後方へ変位する。ロックピン４７が後方へ変位して何れかのロック凹部１２に進入することにより、テーブル２０の回転位置がロックされる。ロックピン４７のロック位置は圧縮ばね４８の付勢力により保持される。操作部材３４の操作部３４ａを圧縮ばね４８の付勢力に抗して下方（アンロック側）へ押し下げ操作すると、係合軸４６が斜面部３４ｂで下方へ押されることによりロックピン４７が前方へ変位する。ロックピン４７が前方へ変位すると、その後部がロック凹部１２から抜き出される。ロックピン４７が前方へ変位してロック凹部１２から抜き出されることにより、第２の回転ロック機構３２がアンロックされてテーブル２０を回転可能な状態となる。
【００３８】
操作部材３４の押し下げ操作（アンロック操作）は、左側に併設した操作ノブ３９を操作することによりロックすることができる。操作部材３４を押し下げた状態にロックすることにより、ロックピン４７をロック凹部１２から離脱させた状態に維持することができる。前記した第１の回転ロック機構３１によりテーブル２０を任意の角度位置に位置決めする際には、ロックピン４７をロック凹部１２から離脱させた状態で行われる。このことから、第１の回転ロック機構３１によりテーブル２０の回転位置を位置決めする際には、操作ノブ３９を操作して第２の回転ロック機構３２の操作部材３４をアンロック位置にロックしておくことにより、第１の回転ロック機構３１による位置決め操作を迅速かつ確実に行うことができる。第１の回転ロック機構３１による位置決めを行わない場合には、操作ノブ３９のロック操作を解除して操作部材３４の押し下げ操作のロック状態を解除する。これにより、操作部材３４が圧縮ばね４８の付勢力により上方のロック位置に戻される。操作部材３４が上方のロック位置に戻されることによりロックピン４７が後退して、その後端部がロック凹部１２に挿入されることにより、テーブル２０が予め設定した一定の角度位置に位置決めされる。
【００３９】
図７に示すようにベース１０の前部には、テーブル２０の回転位置を表示するための角度目盛り１３が張り付けられている。テーブル２０の左側と右側の対称位置には、それぞれ指針部２３が設けられている。指針部２３が指し示す角度目盛り１３の目盛りを読み取ることにより、テーブル２０の角度位置を確認することができる。図７では、テーブル２０が角度位置０°にロックされた状態が示されている。本実施形態では、テーブル２０の回転位置を左右に約６０°の角度範囲で変更することができる。第１の回転ロック機構３１によれば、左右に約６０°の角度範囲の任意の角度位置にテーブル２０をロックすることができる。第２の回転ロック機構３２によれば、左右に約６０°の角度範囲のうち、例えば１０°間隔でテーブル２０の角度位置を繰り返し精度よくロックすることができる。第２の回転ロック機構３２によりロックできない角度位置については、第１の回転ロック機構３１によりロックすることができる。
【００４０】
［切断機本体１００の傾斜位置決め機構６２］
テーブル２０の後部に本体支持部６０を介して切断機本体１００が支持されている。切断機本体１００は、テーブル２０の上面に対して上下に揺動可能かつ前後にスライド可能であるとともに、左右方向にも傾斜可能に支持されている。本体支持部６０は、テーブル２０の後部から上方へ延びる本体支持アーム６１を備えている。本体支持アーム６１の下部とテーブル２０の後部との間に、直角位置決め機構９０と傾斜位置決め機構６２が構成されている。
【００４１】
テーブル２０の後部には円筒形の傾斜受け部６３が一体に設けられている。本体支持アーム６１の下部前面には円筒形の合わせ面を有する傾斜支持部６４が一体に設けられている。図１７に示すように傾斜支持部６４は、１本の左右傾斜軸６５を介して傾斜受け部６３に回転可能に結合されている。図２、図１９及び図２０に左右傾斜軸６５が示されている。この左右傾斜軸６５の軸線を中心にして本体支持アーム６１及び切断機本体１００が左右に傾斜可能に支持されている。左右傾斜軸６５の軸線は、上下方向についてテーブル２０の上面に一致している。
【００４２】
直角位置決め機構９０の詳細が図１３、図１４及び図１７に示されている。直角位置決め機構９０は、直角位置決めボルト９１と、直角位置決め解除ボタン６８と、直角位置決め部６９を備えている。直角位置決めボルト９１は、傾斜受け部６３の上部に締め込まれている。直角位置決めボルト９１の締め込み方向前方に直角位置決め部６９が配置されている。直角位置決め部６９は、傾斜支持部６４側に支持されている。直角位置決め部６９は、支軸９２を介して上下に傾動可能に支持されている。直角位置決め部６９は、捩じりばね９２によりその傾動先端部に設けた当接部６９ａを上方へ変位させる方向（図１４において左回り方向）に付勢されている。
【００４３】
図１７に示すように直角位置決め部６９の左側部には、係合部６９ｂが設けられている。係合部６９ｂの左側に、直角位置決め解除ボタン６８が配置されている。直角位置決め解除ボタン６８は、傾斜支持部６４の左側部に設けられている。直角位置決め解除ボタン６８は左右に進退させることができる。直角位置決め解除ボタン６８は、圧縮ばね９４により左方の直角位置決め位置（図１７中実線で示す位置）側に付勢されている。直角位置決め解除ボタン６８を圧縮ばね６８の付勢力により左側の直角位置決め位置に位置させた状態では、直角位置決め部６９が捩じりばね９３の付勢力によって図１４中実線で示す直角位置決め位置に位置する。本体支持アーム６１ひいては切断機本体１００を左側から右側（図１４において右回り方向）へ傾動させて、直角位置決め位置に位置する直角位置決め部６９の当接部６９ａを直角位置決めボルト９１に当接させることにより、本体支持アーム６１ひいては切断機本体１００が直角切り位置に位置決めされる。
【００４４】
直角位置決め解除ボタン６８を圧縮ばね９４に抗して右方の解除位置（図１７中二点鎖線で示す位置）に押し込み操作すると、その先端部が係合部６９ｂに当接して右方へ押される。係合部６９ｂが右方へ押されることにより、直角位置決め部６９が図１４において二点鎖線で示す解除位置に移動する。直角位置決め解除ボタン６８の押し操作を維持して直角位置決め部６９を解除位置に位置させた状態では、当接部６９ａに直角位置決めボルト９１が当接しないため、本体支持部６０ひいては切断機本体１００を直角切り位置を通過して右側へ傾斜させることができる。切断機本体１００を直角切り位置から左側へ傾斜させる場合には、直角位置決め部６９の当接部６９ａが直角位置決めボルト９１から左方へ離間する方向に変位することから、直角位置決め機構９０の解除操作は必要ない。
【００４５】
傾斜位置決め機構６２の詳細が図１５〜図１８に示されている。図１７に示すように傾斜支持部６４の左右両側部には傾斜ストッパボルト６６，６７が設けられている。両傾斜ストッパボルト６６，６７は、その先端部を斜め下方へ向けて締め込まれている。これに対して傾斜受け部６３の下部には傾斜位置決めロッド７０が設けられている。図１５及び図１６に示すように傾斜位置決めロッド７０は、テーブル２０の後部に前後方向（軸方向）に移動可能に支持されている。傾斜位置決めロッド７０は、圧縮ばね７１により後方の４５°位置決め位置へ移動する方向に付勢されている。傾斜位置決めロッド７０の後部は、左右の傾斜ストッパボルト６６，６７が向けられた斜め下方（軸線方向前方）に位置している。
【００４６】
傾斜位置決めロッド７０の前部には、操作ブラケット７２が取り付けられている。図１８に傾斜位置決めロッド７０と操作ブラケット７２が部品の状態で示されている。操作ブラケット７２の上部には、傾斜角度を切り替え操作するための切り替え操作部材として、左右一対の操作ノブ７２ａが一体に設けられている。図７に示すように左右の操作ノブ７２ａは、テーブル２０の後部に設けた挿通窓部２０ｇを経てそれぞれテーブル２０の上面から上方へ突き出されている。左右の挿通窓部２０ｇは、それぞれ操作ノブ７２ａを挿通可能な矩形に形成されており、テーブル２０の中心線に対して左右対称位置に配置されている。左右の挿通窓部２０ｇの前後幅は、操作ノブ７２ａを前側の４８°位置決め位置と後側の４５°位置決め位置との間で移動操作可能な前後幅に設定されている。当該卓上切断機１の使用者は、左側若しくは右側の操作ノブ７２ａを摘まんで前後に移動操作することにより、傾斜位置決めロッド７０を前後に移動させることができる。
【００４７】
操作ノブ７２ａは、圧縮ばね７１の付勢力により後方へ変位した位置が初期位置となる。従って、傾斜位置決めロッド７０は圧縮ばね７１の付勢力により後方の４５°位置決め位置に保持される。図７は、操作ノブ７２ａの初期位置を示し、図１５は傾斜位置決めロッド７０の４５°位置決め位置を示している。傾斜位置決めロッド７０を４８°位置決め位置に移動させるための操作であって操作ノブ７２ａを前側へ移動させる操作は圧縮ばね７１に抗してなされる。
【００４８】
図１５及び図１６に示すように傾斜位置決めロッド７０の後部には、相互に平行な２つの平坦な面である当接部７０ａが設けられている。傾斜位置決めロッド７０を前後に移動させることにより、当接部７０ａが前後に変位する。図１５は、傾斜位置決めロッド７０が圧縮ばね７１の付勢力により後方の４５°位置決め位置に位置する状態を示している。この状態では、当接部７０ａが左右の傾斜ストッパボルト６６，６７の軸線方向前方から後方へ外れた状態となっている。このため、切断機本体１００を直角切り位置から左方又は右方へ傾斜させて本体支持アーム６１が左右に傾斜されると、左右の傾斜ストッパボルト６６，６７は傾斜位置決めロッド７０の外周面に当接する。左側若しくは右側の傾斜ストッパボルト６６，６７が傾斜位置決めロッド７０の外周面に当接することにより、切断機本体１００が左方若しくは右方へ４５°傾斜した位置に位置決めされる。
【００４９】
図１６に示すように、左側若しくは右側の操作ノブ７２ａを指先で前側（手前側）へ移動操作することにより、傾斜位置決めロッド７０を圧縮ばね７１の付勢力に抗して前側の４８°位置決め位置に移動させることができる。傾斜位置決めロッド７０を前側の４８°位置決め位置に移動させると、左右の傾斜ストッパボルト６６，６７の軸線方向前方に当接部７０ａが位置する状態となる。このため、切断機本体１００を直角切り位置から左方又は右方へ傾斜させて本体支持アーム６１が左右に傾斜されると、左右の傾斜ストッパボルト６６，６７は傾斜位置決めロッド７０の当接部７０ａに当接する。左側若しくは右側の傾斜ストッパボルト６６，６７が傾斜位置決めロッド７０の当接部７０ａに当接することにより、切断機本体１００が左方若しくは右方へ４８°傾斜した位置に位置決めされる。
【００５０】
図１７に示すように、切断機本体１００を左方へ傾斜させる場合には、左側の傾斜ストッパボルト６６が傾斜位置決めロッド７０に突き当てられて、４５°若しくは４８°に位置決めされる。切断機本体１００を右方へ傾斜させる場合には、右側の傾斜ストッパボルト６７が傾斜位置決めロッド７０に当接されて、４５°若しくは４８°に位置決めされる。このように、切断機本体１００の左右傾斜位置を４５°若しくは４８°に傾斜させた位置に位置決めするための傾斜位置決めロッド７０は、テーブル２０の外周縁若しくは外周縁を通る仮想円の後端よりも前側であって傾斜位置決め機構６２よりも使用者側（前側）に配置された操作ノブ７２ａを操作することにより、４５°位置決め位置若しくは４８°位置決め位置に切り替えることができる。従来、例えば特開２０１１−４１９９９号公報、特開２０１４−１３８９６１号公報に開示されているように、この種の切り替えレバーが本体支持アーム６１の後面側や側面に配置されていた。係る従来の構成に比して、本実施形態に係る操作ノブ７２ａはより使用者に近い部位（テーブル２０の上面後部）に配置されていることから、使用者はより楽な姿勢で操作ノブ７２ａの移動操作を行うことができ、この点で当該卓上切断機１の操作性を向上させることができる。また、操作ノブ７２ａは左右に配置されているので、使用者は左手若しくは右手の何れによっても当該操作ノブ７２ａを楽に移動操作することができる。さらに、左傾斜のときは、右側の操作ノブ７２ａの付近に広い空間ができ、反対に右傾斜のときは、左側の操作ノブ７２ａの付近に広い空間ができる。このことから左右いずれの傾斜のときも操作ノブ７２ａの操作が妨げられることがない。
【００５１】
［切断機本体１００の傾斜固定機構５０］
切断機本体１００の直角切り位置及び左右傾斜位置は、直角位置決め部６９若しくは傾斜位置決めロッド７０により位置決めされた後、以下説明する傾斜固定機構５０により固定される。傾斜固定機構５０の詳細が図１９〜図２１に示されている。左右傾斜軸６５は、傾斜受け部６３から後方へ突き出す状態に一体に設けられている。左右傾斜軸６５は、挿通孔６４ａを経て傾斜支持部６４の後面から後方へ突き出されている。左右傾斜軸６５の後部には、ねじ軸部６５ａが設けられている。ねじ軸部６５ａには、第１プーリ５１が結合されている。第１プーリ５１は、ねじ軸部６５ａに対して回転されるとその軸線方向（前後方向）に変位する。第１プーリ５１は、ねじ軸部６５ａに対して締め込まれることにより、スラストベアリング５２とフランジ５３を介して傾斜支持部６４の段差部６４ｂに押圧される。第１プーリ５１がねじ軸部６５ａに締め込まれて段差部６４ｂに押圧されることにより、傾斜支持部６４が傾斜受け部６３に対して固定されて本体支持アーム６１の左右傾斜位置が固定される。第１プーリ５１のねじ軸部６５ａに対する締め込みが緩められると、傾斜支持部６４が傾斜受け部６３に対して回転可能となって本体支持アーム６１を左右に傾斜可能となる。
【００５２】
図２０に示すように本体支持アーム６１の上部には、第２プーリ５４が回転可能に支持されている。第１プーリ５１と第２プーリ５４との間に伝達ベルト５５が架け渡されている。第１プーリ５１と第２プーリ５４には、歯付きプーリが用いられている。このため、伝達ベルト５５には歯付きベルトが用いられている。第１及び第２プーリ５１，５４と伝達ベルト５５が噛み合うことにより、滑りを生ずることなく動力が確実に伝達される。本体支持アーム６１の伝達経路の中途には、アイドラ５６が回転可能に支持されている。このアイドラ５６により、伝達ベルト５５の適正なテンションが持たされている。アイドラ５６により伝達ベルト５５に適正なテンションが持たされることにより、伝達ベルト５５に対する第１及び第２プーリ５１，５４の歯飛びが防止され、この点でも確実な動力伝達がなされるようになっている。
【００５３】
本体支持アーム６１の後面側には、樹脂製のアームカバー５７が取り付けられている。アームカバー５７は本体支持アーム６１の後面をほぼ全面にわたって覆う状態に取り付けられている。このアームカバー５７により、第１及び第２プーリ５１，５４と伝達ベルト５５による動力伝達経路が覆われることにより、これら各部材５１，５４，５５に対する他物品等との干渉若しくは噛み込みが防止されるとともに、粉塵等から保護されている。
【００５４】
図２０に示すように本体支持アーム６１の上部であって、第２プーリ５４の右側方にはベルト押圧部５７ａが設けられている。本実施形態の場合、ベルト押圧部５７ａは、アームカバー５７に一体に設けられている。ベルト押圧部５７ａは、アームカバー５７の壁部から内方へ張り出す状態に設けられている。図示するようにこのベルト押圧部５７ａは、伝達ベルト５５の背面（歯面の反対面）に押圧されている。ベルト押圧部５７ａは、第２プーリ５４の締め付け回転方向（図２０において反時計回り方向、使用者から見て時計回り方向）の前方側に配置されている。図２０において、左右傾斜軸６５のねじ軸部６５ａに対する第１プーリ５１の締め付け回転方向が白抜き矢印で示されている。白抜き矢印と同じ方向に第２プーリ５４が回転することにより、本体支持アーム６１の左右傾斜位置が傾斜受け部６３に対して固定され、従って切断機本体１００の左右傾斜位置が固定される。このため、第２プーリ５４の締め付け回転方向の前方側（図２０において第２プーリ５４の左側）において伝達ベルト５５のたるみが発生しやすい。このたるみの発生がベルト押圧部５７ａにより回避される。伝達ベルト５５のたるみの発生が回避されることにより、第２プーリ５４に対する伝達ベルト５５の歯飛びが防止されて確実な動力伝達がなされる。
【００５５】
係るベルト押圧部５７ａによれば、アイドラを配置できない狭小な部位においても伝達ベルト５５のたるみの発生を防止することができる。ベルト押圧部５７ａを複数個所設けることにより、伝達ベルト５５のたるみをより確実に回避することができる。なお、ベルト押圧部５７ａは、本体支持アーム６１側に設けることもできる。
【００５６】
図２０及び図２１に示すように第２プーリ５４にはフランジ部５４ａが設けられている。フランジ部５４ａの後面には、複数の係合凹部５４ｂが設けられている。複数の係合凹部５４ｂは、当該第２プーリ５４の回転中心を中心とする同心円に沿って等間隔で配置されている。一方、アームカバー５７の上部には、一つの係合ピン５８が圧縮ばね５９により突き出し方向に付勢された状態で設けられている。圧縮ばね５９で突き出し方向に付勢された係合ピン５８が第２プーリ５４の係合凹部５４ｂに押圧されている。圧縮ばね５９により係合ピン５８が係合凹部５４ｂに弾性的に押圧されることにより、第２プーリ５４に回転方向のクリック感が持たされている。
【００５７】
図２に示すように本体支持アーム６１の上部には、２本のスライドバー７５，７６が支持されている。２本のスライドバー７５，７６は、本体支持アーム６１の上部前面から前方へ長く延びる状態に固定されており、その先端側はテーブル２０の中央上方に至っている。２本のスライドバー７５，７６は、上下方向に一定の間隔をおいて相互に平行に支持されている。２本のスライドバー７５，７６の前端部は、結合部材７８により相互に一定の間隔で結合されている。上下２本のスライドバー７５，７６を介して本体スライダ７７が前後方向にスライド可能に支持されている。本体スライダ７７に切断機本体１００が支持されている。切断機本体１００は、本体スライダ７７及び上下２本のスライドバー７５，７６を介して前後にスライド可能に支持されている。
【００５８】
図２に示すように上下のスライドバー７５，７６には、鋼管（パイプ材）が用いられている。上側のスライドバー７５の内周側には、伝達ロッド７９が挿通されている。伝達ロッド７９は、後部側の軸受７９ａと前部側の軸受７９ｂを介してその軸線回りに回転可能に支持されている。後部側の軸受７９ａは、本体支持アーム６１に保持されている。前部側の軸受７９ｂは、結合部材７８に保持されている。伝達ロッド７９の後部に第２プーリ５４が結合されている。第２プーリ５４は伝達ロッド７９と一体で回転する。
【００５９】
伝達ロッド７９の前部には、操作ノブ７３が結合されている。操作ノブ７３を右回りに回転操作することにより、伝達ロッド７９を介して第２プーリ５４を締め付け方向（ねじ軸部６５ａに対する第１プーリ５１の締め付け方向）に回転させることができる。使用者は、第２プーリ５４に並設したクリック機構により、操作ノブ７３の回転操作について一定角度ごとにクリック感を直接受けながら第２プーリ５４を回転させることができる。第２プーリ５４の回転は、伝達ベルト５５を介して第１プーリ５１に伝達される。操作ノブ７３の回転操作により、第１プーリ５１を回転させて本体支持アーム６１ひいては切断機本体１００の左右傾斜位置を変更し、固定することができる。
【００６０】
以上説明した傾斜固定機構５０によれば、操作ノブ７３を回転操作して傾斜固定機構５０を遠隔操作することができる。操作ノブ７３は、テーブル２０のほぼ中央上方に位置することから、使用者は大きく手を伸ばして窮屈な姿勢をとることなく、楽に操作ノブ７３を回転操作することができる。また、第２プーリ５４には、圧縮ばね５９でばね付勢された係合ピン５８（クリック機構）により回転についてクリック感が持たせられている。このため、使用者はクリック感を受けながら操作ノブ７３を回転操作することができ、この点で例えば特開２０１５−１５０６３３号公報に開示された従来構成に比して当該傾斜固定機構５０の操作性が高められている。さらに、ベルト押圧部６１ａにより第２プーリ５４の締め付け回転方向の前方側における伝達ベルト５５のたるみが回避されて、第２プーリ５４に対する伝達ベルト５５の歯飛びが回避される。
【００６１】
［切断機本体１００］
切断機本体１００は、本体支持部６０の２本のスライドバー７５，７６を介して前後にスライド可能に支持されている。切断機本体１００の詳細が図２２〜図２５に示されている。切断機本体１００は、交流電源式の電動モータ１０１を駆動源として回転する円形の刃具１０２を備えている。刃具１０２の上側半周の範囲は固定カバー１０３で覆われている。刃具１０２の下側半周の範囲は、可動カバー１０４で覆われている。図２３に示すように可動カバー１０４は、ボス部１０４ａの外周側に取り付けた軸受(ボールベアリング）１０９を介して固定カバー１０３の左側面に回転可能（上下に開閉可能）に支持されている。可動カバー１０４は、切断機本体１００の上下動に連動して開閉される。可動カバー１０４が開かれると、刃具１０２の下部が露出される。この露出部分が切断材Ｗに切り込まれる。可動カバー１０４は、当該切断機本体１００が上死点に位置する状態（図１〜図５に示す状態）で全閉される。可動カバー１０４は、切断機本体１００を上死点から下動させると徐々に開かれていく。可動カバー１０４は、切断機本体１００を下死点にまで下動させた状態（図２２に示す状態）で全開される。
【００６２】
図５に示すように固定カバー１０３の後部には、基台部１０７が一体に設けられている。基台部１０７は後方へ延びている。一方、本体スライダ７７の右側部には、二股形状の本体支持部７７ａが設けられている。基台部１０７の後部が本体支持部７７ａに挿入されて、上下揺動支軸１０５を介して上下に揺動可能な状態で結合されることにより、切断機本体１００が本体スライダ７７に対して上下に揺動可能に支持されている。切断機本体１００は、上下揺動支軸１０５を中心にして上下に揺動させることができる。切断機本体１００は上下揺動支軸１０５の周囲に装着した捩じりばね１０６（図４にその一部が見えている）により上方の待機位置へ戻される方向に付勢されている。
【００６３】
図２３及び図２５に示すように電動モータ１０１は、円筒形のモータハウジング１１０に、固定子１１１と、回転子１１２を内装した構成を備えている。モータハウジング１１０の内周側に固定子１１１が固定されている。固定子１１１の内周側に回転子１１２が回転可能に支持されている。回転子１１２はモータ軸１１３に結合されている。モータ軸１１３はモータ軸線Ｊ方向前後の軸受１１４，１１５を介して回転自在に支持されている。回転子１１２のモータ軸線方向前側（左下）においてモータ軸１１３に冷却ファン１１６が取り付けられている。回転子１１２のモータ軸線Ｊ方向後部（右上）には、整流子１１２ａを備えている。整流子１１２ａには、２つのカーボンブラシ１１７が相互に反対側から摺接されている。
【００６４】
図２２に示すようにモータハウジング１１０のモータ軸線Ｊ方向の後面には、複数の吸気口１１０ａが設けられている。電動モータ１０１が起動して冷却ファン１１６が回転する状態では、吸気口１１０ａを経てモータハウジング１１０内に外気が導入される。吸気口１１０ａから導入された外気（冷却風）はモータ軸線Ｊ方向前側へ流れて、固定子１１１及び回転子１１２等の冷却がなされる。
【００６５】
電動モータ１０１は、そのモータ軸線Ｊ方向後部側を上方へ変位させる方向に傾斜した姿勢に取り付けられている。図２３に示すように切断機本体１００を、刃具１０２がテーブル２０の上面に対して直交する直角切り位置に位置させた状態で、電動モータ１０１は、そのモータ軸線Ｊをテーブル２０の上面に対して平行ではなく傾斜させた姿勢に配置されている。電動モータ１０１を傾斜させて配置することにより、切断機本体１００の右側への許容される傾斜角度をより大きく設定することができる。
【００６６】
電動モータ１０１は、ギヤヘッド部１２０を介して固定カバー１０３の背面側（右側部）に結合されている。ギヤヘッド部１２０は、ギヤハウジング１２１に２段減速ギヤ列が内装された構成を備えている。ギヤハウジング１２１は、固定カバー１０３の背面側に一体に設けられている。電動モータ１０１のモータ軸１１３の先端には、出力ギヤ部１１３ａが設けられている。出力ギヤ部１１３ａは、第１従動ギヤ１２２に噛み合わされている。第１従動ギヤ１２２は第１従動軸１２３上に固定されている。第１従動ギヤ１２２の左側において第１従動軸１２３上には、第２従動ギヤ１２４が固定されている。第１従動軸１２３は軸受１２３ａ，１２３ｂを介してギヤハウジング１２１に回転可能に支持されている。
【００６７】
第２従動ギヤ１２４は、第３従動ギヤ１２５に噛み合わされている。第３従動ギヤ１２５は、第２従動軸１２６上に固定されている。第２従動軸１２６は、軸受１２６ａ，１２６ｂを介してギヤハウジング１２１に回転可能に支持されている。第２従動軸１２６は第１従動軸１２３に平行に配置されている。第３従動ギヤ１２５は、第４従動ギヤ１２７に噛み合わされている。第４従動ギヤ１２７は、スピンドル１３０上に固定されている。スピンドル１３０は、軸受１３０ａ，１３０ｂを介してギヤハウジング１２１の下部に回転可能に支持されている。スピンドル１３０は、第１及び第２従動軸１２３，１２６と平行に配置されている。なお、図５に示すように第２従動軸１２６は、第１従動軸１２３とスピンドル１３０を結ぶ線に対して前側（使用者側）へずれて配置されている。これにより必要な減速比（ギヤ径）を確保しつつ当該ギヤヘッド部１２０の上下方向のコンパクト化が図られている。
【００６８】
スピンドル１３０は、固定カバー１０３内に突き出されている。この突き出し部分に刃具１０２が取り付けられている。刃具１０２は、その中心をアウタフランジ１３１とインナフランジ１３２で挟んだ状態で刃具固定ねじ１３４の締め込みにより取り付けられている。
【００６９】
電動モータ１０１の上面には、コントローラ収容部１４０が設けられている。コントローラ収容部１４０は、主として電動モータ１０１の動作を制御するためのコントローラ１４１が収容されている。コントローラ１４１では、例えば定回転制御やソフトスタート等の制御がなされる。コントローラ収容部１４０内には、冷却ファン１１６の回転によりモータハウジング１１０内に流入した外気（モータ冷却風）の一部が流れ込む。コントローラ収容部１４０の内部に流れ込んだモータ冷却風の一部によりコントローラ１４１の冷却がなされる。図５，６，２２，２３に示すように、ギヤヘッド部１２０の後部側にモータ冷却風を排気する排気口１４５が設けられている。
【００７０】
電動モータ１０１の使用者から見て手前側の側部には、使用者が把持するハンドル部１５０が設けられている。ハンドル部１５０は、刃具１０２の回転軸線（スピンドル１３０の軸線）にほぼ平行に配置されて、横握りタイプのハンドル部となっている。ハンドル部１５０の左右両側が脚部１５１，１５１を経て電動モータ１０１の前側の側部に結合されている。ハンドル部１５０の後面に、スイッチレバー１５２が配置されている。ハンドル部１５０を把持して手でスイッチレバー１５２を手前側へ引き操作することにより電動モータ１０１が起動して刃具１０２が回転する。ハンドル部１５０の前面には、ロックオフスイッチ１５３が設けられている。このロックオフスイッチ１５３を押し込み操作した状態でスイッチレバー１５２を引き操作（オン操作）することができる。
【００７１】
図５に示すように、固定カバー１０３の後部には、持ち運び用のキャリングハンドル１５４が設けられている。キャリングハンドル１５４は、固定カバー１０３の上部後面から基台部１０７の後部に跨っている。キャリングハンドル１５４は、切断機本体１００を後述する揺動ロック機構２１０により下死点付近にロックした状態でほぼ水平方向に延びる状態に設けられている。切断機本体１００を下死点付近にロックして当該卓上切断機１を持ち運ぶ際にこのキャリングハンドル１５４を把持することにより、当該卓上切断機１を前後左右に傾くことなくバランスのとれた姿勢で楽に持ち運ぶことができる。
【００７２】
［集塵ホース］
図１及び図２に示すように固定カバー１０３の左側部（正面側）には、刃具１０２の回転方向を示す矢印１０３ａが表示されている。刃具１０２は、左側方から見て時計回り方向に回転する。このため、切断加工により発生する切断粉は固定カバー１０３の後部側において切断材Ｗの上面から吹き上げられる。基台部１０７の後部下面には、吹き上げられた切断粉を受けるための粉塵ガイド１６０が取り付けられている。また、キャリングハンドル１５４の後部であって基台部１０７の後部上面には、集塵ホース接続用の本体側接続口１６１が設けられている。本体側接続口１６１は、基台部１０７の内部を経て粉塵ガイド１６０に連通されている。粉塵ガイド１６０に受けられた粉塵は、基台部１０７の内部を経て本体側接続口１６１の内部に吹き上げられる。本体側接続口１６１に集塵ホース１６２が接続されている。集塵ホース１６２の本体側接続口１６１に対する接続構造が図５に示されている。
【００７３】
集塵ホース１６２は、適度な伸縮性及び可撓性を有する蛇腹形のフレキシブルホースで、本体支持部６０の右側部に設けたホース中間接続部としての中継ダクト１７０に接続されている。図５に示すように集塵ホース１６２は、本体側接続口１６１と中継ダクト１７０との間で例えば上方へ大きく湾曲した取り回し経路を経て接続されている。本体側接続口１６１と中継ダクト１７０との間における集塵ホース１６２の長さ（本実施形態では、集塵ホース１６２の全長）は、切断機本体１００の上下方向の全揺動範囲及び前後方向の全スライド範囲での移動を許容する長さに設定されている。集塵ホース１６２の本体側接続口１６１に対する接続構造が図２６に示され、中継ダクト１７０に対する接続構造が図２７に示されている。図２６に示すように集塵ホース１６２の上流側端部には、円筒形の接続部材１６３が取り付けられている。集塵ホース１６２の上流側端部は、接続部材１６３の内周側に接続されている。接続部材１６３の外周面には一定幅の溝部１６３ａが全周にわたって設けられている。
【００７４】
本体側接続口１６１の内周側には、保持部材１６４が装着されている保持部材１６４は、円環形状を有する樹脂製の介在部品で、拡径方向に弾性を有している。保持部材１６４の外周面の周方向二等分位置には、係合凸部１６４ａが一体に設けられている。２つの係合凸部１６４ａは、本体側接続口１６１の周方向二等分位置に設けた係合孔１６１ａにそれぞれ嵌まり込んでいる。２つの係合凸部１６４ａがそれぞれ係合孔１６１ａに嵌まり込むことにより、保持部材１６４が軸線Ｈ回り及び軸線Ｈ方向に位置ずれしない状態で本体側接続口１６１の内周面に沿って保持されている。
【００７５】
本体側接続口１６１の内周面に沿って保持した円環形状の保持部材１６４が図示するように接続部材１６３の溝部１６３ａに嵌まり込んでいることにより、集塵ホース１６２がその軸線Ｈ回りに回転自在な状態で本体側接続口１６１に接続されている。２つの係合凸部１６４ａを係合孔１６１ａの奥部に押し込んで保持部材１６４を縮径方向に弾性変形させることにより、接続部材１６３を本体側接続口１６１の内周側から抜き出すことができ、これにより集塵ホース１６２を本体側接続口１６１から容易に取り外すことができる。
【００７６】
図２７に示すように集塵ホース１６２の下流側端部にも同様の接続部材１６５が取り付けられている。集塵ホース１６２の下流側端部は接続部材１６５を介して中継ダクト１７０の支持側接続口１７１に接続されている。接続部材１６５の外周面にも溝部１６５ａが全周にわたって設けられている。支持側接続口１７１の内周側にも円環形状の保持部材１７２が保持されている。保持部材１７２の外周面二等分位置には、係合凸部１７２ａが一体に形成されている。この２つの係合凸部１７２ａが、支持側接続口１７１の周方向二等分位置に設けた係合孔１７１ａにそれぞれ嵌まり込んで、当該保持部材１７２が軸線Ｈ回り及び軸線Ｈ方向に位置ずれしない状態で支持側接続口１７１の内周面に沿って保持されている。このため、上流側と同様下流側についても、集塵ホース１６２は、支持側接続口１７１に対してその軸線Ｈ回りに小さな外力でも円滑に回転自在な状態に接続されている。
【００７７】
図２８に示すように中継ダクト１７０は、本体支持部６０の本体支持アーム６１に一体に設けた基台部１７３を備えている。基台部１７３の前部には、大型の集塵ダクト１７４が取り付けられている。この集塵ダクト１７４は、位置決めフェンス８０の後方に向けられている。位置決めフェンス８０の後方に吹き上げられた切断粉がこの集塵ダクト１７４により集塵される。基台部１７３の右側部には、ジョイント１７５を介して排出ノズル１７６が接続されている。図５に示すように基台部１７３の上部に、上記した支持側接続口１７１が若干斜め後方へ傾いた状態に設けられている。
【００７８】
図２８に示すように集塵ダクト１７４と支持側接続口１７１は、基台部１７３の内部通路１７３ａを経て排出ノズル１７６に連通されている。排出ノズル１７６は、ジョイント１７５を介して上下に回動可能（首振り可能）に支持されている。排出ノズル１７６には、別途用意される集塵機のホースが接続される。
【００７９】
上記の集塵ホース１６２の上流側（前側）が本体側接続口１６１にその軸線Ｈ回りに回転自在な状態で接続され、また下流側（後側）が支持側接続口１７１にその軸線Ｈ回りに回転自在な状態で接続されている。係る接続構造によれば、例えば切断機本体１００が上下方向に揺動され、また前後方向にスライド操作されることによりその取り回し経路が変化した場合に、上下両端部が軸線Ｈ回りに回転して、当該集塵ホース１６２の経路中途に無理な屈曲や捩じれ（断面積の狭小化）を発生することがないことから滑らかに湾曲した取り回し経路が維持され、これによりその全体にわたって本来の断面積が確保されて高い集塵効率を確実に維持することができる。
【００８０】
この点、例えば特開平６−２１０６０５号公報に開示されているように、集塵ホースの端部がその軸線回りに固定された状態で接続口に接続されていると、その取り回し経路が変化した場合に、取り回し経路の途中に無理な屈曲や捩じりが生じて十分な断面積の集塵通路が確保されなくなる。上記例示した集塵ホース１６２の接続構造（回転接続構造）によれば、係る問題が解消される。この点は、例えば卓上切断機１を建物の壁面等を背にして設置、保管しておく場合に、集塵ホース１６２が壁面に干渉しても両端部が軸線Ｈ回りに回転してその取り回し経路が壁面に沿ってスムーズに追従され、これにより当該集塵ホース１６２の変形若しくは損傷を回避してその耐久性を高めることができる。
【００８１】
保持部材１６４，１７２に代えて、ボールベアリングやニードルベアリング等のころがり軸受を介在させて集塵ホース１６２の上流側端部及び下流側端部をその軸線Ｈ回りに回転自在に接続する構成としてもよい。
【００８２】
［補助フェンス８２の収納構造］
図１〜図５に示すようにテーブル２０の上面側には、切断材Ｗを面方向に位置決めするための位置決めフェンス８０が設けられている。位置決めフェンス８０の前面（位置決め面８０ａ）は、テーブル２０の回転中心（回転支軸２１の軸線）に一致している。位置決めフェンス８０の位置決め面８０ａに切断材Ｗの後面を当接させて左右に位置合わせすることにより当該切断材Ｗがテーブル２０の上面（テーブル面方向）に対して位置決めされる。
【００８３】
位置決めフェンス８０は、刃具１０２に対して左右一対の基台部８１と左右一対の補助フェンス８２を有する上下二段構造を備えている。左右一対の基台部８１は、その後面側において半円形の結合部８３を介して左右一体に結合されている。ベース１０の左右側部は、テーブル２０の下方から側方へ張り出している。左右の張り出し部１４には上方へ盛り上がる台座部１４ａが設けられている。左右の台座部１４ａに跨って基台部８１がテーブル２０の上面に沿って支持されている。図７では、位置決めフェンス８０を取り外した状態が示されている。テーブル２０の下方であってベース１０の上面には、補助台座部１４ｂが２箇所設けられている。図７では２箇所の補助台座部１４ｂが、テーブル２０に設けた円弧形の挿通溝２４を経て見えている。この補助台座部１４ｂに取り付けた支持柱（図示省略）によっても基台部８１がテーブル２０の上面に沿って支持されている。
【００８４】
左右の補助フェンス８２は、基台部８１の上側に面一（位置決め面８０ａを正確に一致させて）に支持されている。左右の基台部８１の上側にさらに補助フェンス８２を取り付けて位置決め面８０ａの高さを高くすることにより、高さ寸法の大きな切断材Ｗをより高精度で位置決めすることができ、また切断材Ｗをテーブル２０の上面と位置決め面８０ａとの間に斜めに立て掛けた状態で切断加工を行うことができる。左右の補助フェンス８２は、それぞれ基台部８１から取り外すことができる。補助フェンス８２を取り外しておくことにより切断機本体１００をより大きな角度で左方または右方へ傾斜させることができる。左右の補助フェンス８２を基台部８１から取り外した状態が図２９に示されている。図示するように取り外した左右の補助フェンス８２は、それぞれホルダ金具１５上に収納しておくことができる。左右のホルダ金具１５は、それぞれ棒鋼をＵ字形に折り曲げて製作した枠部材で、図８に示すようにベース１０の張り出し部１４に、左右へスライド可能に支持されている。図８では、左右のホルダ金具１５を収納した状態が示されている。図２９に示すように左右のホルダ金具１５を側方へ引き出して、その上面側に補助フェンス８２を載置して収納しておくことができる。
【００８５】
図３１に示すように補助フェンス８２には、位置決めピン部８２ａと、クリップ部８２ｂが設けられている。位置決めピン部８２ａは、当該補助フェンス８２を基台部８１に対して面一に取り付ける場合に、基台部８１に設けた位置決め孔８１ａに挿入される。基台部８１から取り外してホルダ金具１５上に収納する際に、クリップ部８２ｂが用いられる。図３０に示すように、クリップ部８２ｂにホルダ金具１５の一部を弾性保持させて補助フェンス８２がホルダ金具１５上に保持される。図３０では、ホルダ金具１５の前支持部１５ａをクリップ部８２ｂで保持して補助フェンス８２を収納した状態を示しているが、補助フェンス８２を前後反転させてクリップ部８２ｂでホルダ金具１５の後支持部１５ｂを保持して収納することもできる。
【００８６】
例えば特開２０１０−２８００１３号公報に開示されているように、この種の卓上切断機において取り外した補助フェンスを収容する部位については従来特に考慮されていなかった。このため、取り外した補助フェンスを探し出す手間がかかり、あるいは紛失した場合には低い位置決め面のまま切断材を位置決めせざるを得ず、結果として切断精度の低下を招く等作業性が損なわれるおそれがあった。上記例示した補助フェンス収納構造によれば、ベース１０の左右に収納しておくことができるので、必要時に探し出す手間がかからず、また紛失する恐れもないことから、作業性の低下を招くことがない。
【００８７】
図３２に示すようにベース１０の左右の張り出し部１４には、切断材Ｗを固定するための縦バイス１８０を取り付けることができる。縦バイス１８０により、切断材Ｗを上方からテーブル２０の上面に押し付けて板厚方向に挟み込んで固定することができる。縦バイス１８０は、第１支柱１８１と、第１支柱１８１の上部に結合した第１アーム部１８２と、第１アーム部１８２の先端に支持した第２支柱１８３と、第２支柱１８３の下部に結合した第２アーム部１８４と、第２アーム部１８４の先端に支持したねじ軸１８５を備えている。第１支柱１８１は、台座部１４ａの後部側に設けた支持孔１４ｃに抜き差し可能かつガタつきなく挿入されている。第１支柱１８１は、台座部１４ａの後部に設けた固定ねじ（図３２では見えていない）を締め込むことにより支持孔１４ｃへの挿入状態に固定される。第１アーム部１８２は、第１支柱１８１を中心にして左右に回動可能に支持されている。第２支柱１８３は、上下に位置調整可能な状態で第１アーム部１８２の回動先端側に支持されている。第２アーム部１８４は、第２支柱１８３を中心にして左右に回動可能に支持されている。ねじ軸１８５は、第２アーム部１８４の回動先端側に締め込まれている。ねじ軸１８５の上端部に使用者が締め込み操作時に把持するノブ１８７が設けられている。ねじ軸１８５の下端部に切断材Ｗの上面に押し付けされる円形の押圧板１８６が支持されている。
【００８８】
テーブル２０上に載置した切断材Ｗの上面に押圧板１８６を当接させた状態で、ねじ軸１８５を締め込み方向に回転操作することにより、押圧板１８６をねじ力により切断材Ｗの上面に押し付けて当該切断材Ｗをテーブル２０上に固定することができる。図３２に示す状態では、左右の補助フェンス８２をそれぞれ基台部８１の上面側に支持して高い位置決め面８０ａを形成した状態となっている。縦バイス１８０は、位置決めフェンス８０に対して後側から前側へ跨ぐ状態に支持されている。このように縦バイス１８０は、台座部１４ａの支持孔１４ｃを利用して支持する他、取り外して台座部１４ａに収納した補助フェンス８２を利用して支持することもできる。
【００８９】
図３３に示すように、基台部８１から取り外した補助フェンス８２は、その位置決めピン部８２ａを台座部１４ａの側部に設けた保持孔１４ｄに差し込んで側方へ張り出させた状態に保持することができる。位置決めピン部８２ａの保持孔１４ｄに対する差し込み状態は、固定ねじ１６を締め込んでおくことによりロックされる。補助フェンス８２の後部８２ｃは張り出し部１４の上面に載せ掛けて保持される。このように補助フェンス８２は、その位置決め面８０ａをテーブル２０の上面と面一に揃えた状態で保持しておくことにより、左右幅の大きな切断材Ｗをより安定してテーブル２０上に載置することができ、ひいては当該左右幅の大きな切断材Ｗの切断加工を精度よく行うことができる。
【００９０】
図３４に示すようにこのように保持した補助フェンス８２を利用して縦バイス１８０を支持することができる。図３４では、左側のみに縦バイス１８０を支持した状態を示しているが、右側の台座部１４ａに保持した補助フェンス８２を利用して右側にも縦バイス１８０を支持することができる。補助フェンス８２には、支持孔８２ｄが設けられている。この支持孔８２ｄに第１支柱１８１を差し込んで縦バイス１８０を支持することができる。図では見えていないが支持孔８２ｄの後部側には固定ねじが設けられている。この固定ねじを締め込むことにより、第１支柱１８１が支持孔８２ｄに差し込まれた状態に固定される。補助フェンス８２の支持孔８２ｄを利用して縦バイス１８０を支持することにより、当該縦バイス１８０を台座部１４ａよりも左方若しくは右方へずれた位置に保持することができることから、より左右幅の大きな切断材Ｗをより左右方向に大きなスパンで固定することができ、従ってより左右幅の大きな切断材Ｗをより確実に固定することができる。
【００９１】
［下限位置切り替え機構２００］
次に、本実施形態に係る卓上切断機１は、下限位置切り替え機構２００と、揺動ロック機構２１０と、スライド中間ストッパ機構２２０と、スライド後端位置ロック機構２３０とを備えている。下限位置切り替え機構２００は、切断機本体１００の上下揺動範囲の下限位置を切り替えるための機構で、切断材Ｗに対する刃具１０２の切り込み深さを調整若しくは切り替える機能を有している。図２２、図２９、図３２、図３５に示すように、本体スライダ７７の下部には、ストッパ受け台が一体に設けられている。ストッパ受け台の上面には、ストッパプレート２０１が左右方向に位置変更可能に設けられている。ストッパプレート２０１には、つまみ部２０１ａが設けられている。使用者はつまみ部２０１ａを摘まんでストッパプレート２０１を右方の第１位置と左方の第２位置との間で水平方向（左右方向）に移動させることができる。右方の第１位置に位置させた状態ではストッパプレート２０１に設けた長孔形の逃がし孔２０１ｂとストッパ受け台に上下に貫通して設けた挿通孔（図では見えていない）が重なり合う。ストッパプレート２０１を左側の第２位置に移動させると、逃がし孔２０１ｂはストッパ受け台の挿通孔に対して左側に位置ずれる結果、ストッパ受け台の挿通孔はストッパプレート２０１により塞がれる。
【００９２】
切断機本体１００の基台部１０７の左側部には、ストッパ支持部２０２が側方へ張り出す状態に一体に設けられている。ストッパ支持部２０２には、前後２本のストッパねじ２０３，２０４が締め込まれている。後側の第２ストッパねじ２０４の上部には、使用者が締め込み操作をする際に把持するノブ２０４ａが設けられている。２本のストッパねじ２０３，２０４の下部側は、ストッパ支持部２０２の下面から下方へ突き出されている。前側のストッパねじ２０３よりも後側のストッパねじ２０４の方がより下方へより長く延びている。２本のストッパねじ２０３，２０４は、それぞれ回転させることにより、ストッパ支持部２０２の下面からの突き出し寸法を調整することができる。図３５に示すように切断機本体１００を下動させたときに、ストッパプレート２０１を右側の第１位置に位置させた状態では、相互に重なり合った逃がし孔２０１ｂと挿通孔に後側の第２ストッパねじ２０４が進入して逃がされる（空振り）。この場合、前側の第１ストッパねじ２０３がストッパプレート２０１に突き当てられて切断機本体１００の下動端位置が規制される。
【００９３】
図では示していないがストッパプレート２０１を第２位置に移動させた状態で、切断機本体１００を下動させた場合には、逃がし孔２０１ｂが挿通孔に対して左方へ位置ずれしているため、より下方に延びた後側の第２ストッパねじ２０４がストッパプレート２０１に突き当てられて切断機本体１００の下動端位置が規制される。このように下限位置切り替え機構２００によれば、ストッパプレート２０１を右側の第１位置に位置させて逃がし孔２０１ｂと挿通孔を重ね合わせた状態と、左側の第２位置に位置させて逃がし孔２０１ｂを挿通孔に対して位置ずれさせた状態とに切り替えることにより、第１ストッパねじ２０３がストッパプレート２０１に当接する状態と、第２ストッパねじ２０４がストッパプレート２０１に当接する状態を切り替えることができ、これにより切断機本体１００の下動端位置を上下２箇所に切り替えることができる。第１ストッパねじ２０３により規制される切断機本体１００の下動端位置は、刃具１０２と刃口板２２との位置関係により設定される最下降端位置に設定されている。第１ストッパねじ２０３により規制される最下降端位置よりも上側の下動位置であって第２ストッパねじ２０４により規制される下動端位置により、例えば溝切り加工等を迅速に行うことができる。この上下２箇所の下動端位置は、第１ストッパねじ２０３と第２ストッパねじ２０４を回転させてストッパ支持部２０２に対する締め込み量を調整することによりそれぞれ個別に調整することができる。
【００９４】
［揺動ロック機構２１０］
切断機本体１００の下動端位置は、上記第１及び第２ストッパねじ２０３，２０４により規制される他、揺動ロック機構２１０によっても規制される。揺動ロック機構２１０により、切断機本体１００を図３５に示すように下方へ揺動させてロック位置にロックすることができる。揺動ロック機構２１０の詳細が図３６及び図３７に示されている。揺動ロック機構２１０は、本体スライダ７７の本体支持部７７ａに設けられている。本体支持部７７ａの先端には、支持筒部７７ｂが設けられている。支持筒部７７ｂの内周側に、ロックピン２１１がその軸回りに回転可能かつ左右方向に移動可能に支持されている。ロックピン２１１は、支持筒部７７ｂとの間に介装した圧縮ばね２１２により左方へ移動する方向（ロック側）に付勢されている。ロックピン２１１の右端部（頭部）には、使用者が操作時に摘まむノブ２１３が取り付けられている。ノブ２１３の左端部には、係合凸部２１３ａが径方向に沿って設けられている。
【００９５】
支持筒部７７ｂの左端部には、浅い係合溝７７ｃと深い係合溝７７ｄが相互に直交する十字形に設けられている。図３７に示すようにノブ２１３を回転させて係合凸部２１３ａを浅い係合溝７７ｃに挿入すると、ロックピン２１１が右方へ変位したアンロック位置に保持される。このアンロック位置からノブ２１３を約９０°回転させて係合凸部２１３ａを深い係合溝７７ｄに挿入することにより、ロックピン２１１を左方のロック位置に移動させることができる。
【００９６】
切断機本体１００の基台部１０７の右側部には、ロック孔１０８が設けられている。図５にも、ロック孔１０８が示されている。切断機本体１００を下方のロック位置まで下動させた状態で、ロックピン２１１を左方のロック位置に移動させると、その先端部がロック孔１０８に挿入される。ロックピン２１１がロック孔１０８に挿入されることにより、切断機本体１００が下方のロック位置にロックされた状態となる。前記したように切断機本体１００がロック位置にロックされた状態では、キャリングハンドル１５４がほぼ水平に位置する状態となる。図３８に示すように揺動ロック機構２１０により切断機本体１００を下方のロック位置にロックし、かつ後述するスライド後端位置ロック機構２３０により切断機本体１００をスライド後端位置にロックすることにより、使用者はキャリングハンドル１５４を把持して当該卓上切断機１をバランスよく楽に持ち運ぶことができる。
【００９７】
［スライド中間ストッパ機構２２０］
図３、図５、図３２〜図３４に示すようにスライド中間ストッパ機構２２０は、本体支持部６０の上部右側部に設けられている。スライド中間ストッパ機構２２０は、ストッパプレート２２１を支軸２２２を介して前後に回動可能に支持した構成を備えている。ストッパプレート２２１の側部には、左方へ張り出すストッパ部２２１ａが折り曲げて設けられている。ストッパプレート２２１は、図５中白抜き矢印で示すように本体支持部６０の右側部に沿った退避位置（図示する位置）から支軸２２２を中心にして前方へ回動させることにより、上側のスライドバー７５の側方へ張り出すストッパ位置（図では示されていない）に移動させることができる。ストッパプレート２２１をストッパ位置に移動させるとストッパ部２２１ａが、本体スライダ７７の移動経路中に進入した状態となる。このため、ストッパプレート２２１をストッパ位置に移動させた状態で切断機本体１００を後方へスライドさせると、本体スライダ７７の後端面がストッパ部２２１ａに当接して、それ以上の後方へのスライド動作が規制される。
【００９８】
ストッパプレート２２１を退避位置に位置させた状態では、本体スライダ７７はその後端面を本体支持部６０の前面に当接させた位置（全スライド範囲）までスライドさせることができる。ストッパプレート２２１を前側のストッパ位置に移動させることにより、全スライド範囲の後退端位置をストッパ部２２１ａの長さ分だけ前側へ変位させることができる。このスライド中間ストッパ機構２２０により、スライド後退端位置を規制することにより、例えばクラウンモールド材と称される切断材Ｗを位置決めフェンス８０に斜めに立て掛けて切断作業を行う場合に、刃具１０２の取り付け部位（アウタフランジ１３１、インナフランジ１３２、刃具固定ねじ１３４の頭部）が切断材Ｗに干渉する手前で切断機本体１００のスライド動作を規制することができ、これにより切断材Ｗの傷つきを未然に回避することができる。
【００９９】
［スライド後端位置ロック機構２３０］
切断機本体１００は、スライド後端位置ロック機構２３０により全スライド範囲の後退端位置（スライド後端位置）でロックすることができる。スライド後端位置ロック機構２３０は、本体支持部６０の上部左側部に設けられている。スライド後端位置ロック機構２３０は、上記した揺動ロック機構２１０と同様のロック側にばね付勢されたノブ２３１ａ付きのロックピン２３１を備えている。本体スライダ７７の左側部の後部には、当該スライド後端位置ロック機構２３０を逃がすための逃がし凹部７７ｅが設けられている。図２に示すように逃がし凹部７７ｅの底部にロック孔７７ｆが設けられている。図３８に示すように切断機本体１００を上記した揺動ロック機構２１０により下方のロック位置にロックした状態でスライド後退端位置までスライドさせてロックピン２３１をロック孔７７ｆに挿入することにより本体スライダ７７ひいては切断機本体１００がスライド後退端位置にロックされる。ノブ２３１ａを摘まんでロックピン２３１をばね付勢力に抗してアンロック位置に移動させて約９０°回転させることによりロックピン２３１をアンロック位置に保持することができる。ロックピン２３１をアンロック位置に保持しておくことにより、本体スライダ７７ひいては切断機本体１００を前後にスライドさせることができる。
【０１００】
以上のように構成した本実施形態の卓上切断機１によれば、テーブル２０の第１の回転ロック機構３１において、操作部材３３の回転操作により発生するねじ軸軸線方向のねじ力によりロック部材４２が変位してテーブル２０の回転位置がロックされることから、操作部材３３に対する使用者の良好な操作感が確保される。
【０１０１】
また、伝達部材としての伝達ブラケット３６及び伝達ロッド４０を介してねじ力をロック部材４２に伝達する構成であり、ねじ軸部３５が直接押圧される部位は、伝達部材の分だけ従来よりも使用者側に近い部位となっている。この点例えば特開平９−１３１７０１号公報に開示されている従来技術では、長いねじ軸部を直接ロック部材に押圧する構成であり、ねじ軸部を押圧する部位が使用者側から離れていたため、ロック部材に対するねじ力の伝達ロスが大きく十分な回転ロック力を得ることが困難であった。上記例示した第１の回転ロック機構３１によれば、ねじ軸部３５が直接押圧される部位（伝達ブラケット３６の上側当接部３６ａに対する当接部）が使用者により近い部位であることから、ねじ力の伝達ロスを小さくすることができ、これによりロック部材４２の十分な押圧力を確保してテーブル２０の回転位置を強固にロックすることができるようになる。
【０１０２】
また、ベース１０に設けたロック板部１１をテーブル２０の挟み込みリブ２０ｆとロック部材４２の出力部４２ｂとの間に挟み込んで当該テーブル２０のベース１０に対する回転位置をロックする構成であり、一方的に押し付けてロックする構成ではないので、ロック時におけるテーブル２０の浮き上がり等の相対変位を生ずることがなく、これにより高精度の切断加工を行うことができる。
【０１０３】
また、ねじ軸部３５の後退動作により、ロック部材４２の出力部４２ｂが上方であって、ねじ軸部３５の軸線方向とは異なる方向へ変位してロック板部１１が挟み込まれる構成となっている。このため、挟み込みによりロック部材４２に付加されるベース１０側からの下方向きの反力が複数方向に分散されて直接的にねじ軸部３５ひいては操作部材３３に作用しないことからも、操作部材３３の良好な操作性を確保することができる。
【０１０４】
さらに、ねじ軸部３５の後方への変位により発生するねじ力によりロック部材４２の出力部４２ｂが上方へ変位してロック板部１１が挟み込まれる構成であり、出力部４２ｂの変位方向（挟み込み方向）が上方であることから、テーブル２０の浮き上がりや前後左右への芯ずれを発生することがなく、これにより高精度の切断加工を行うことができる。
【０１０５】
ねじ軸部３５の後退により発生するねじ力の作用方向（後方）がロック部材４２を介して上方に変換されてロック板部１１に作用してテーブル２０の回転位置がロックされる。このことから、操作部材３３の操作に関する使用者の一般的な操作感を持たせつつ、ロック時におけるテーブル２０の浮き上がり等の相対変位を回避して高精度な切断加工を実現することができる。
【０１０６】
また、例示した回転ロック機構によれば、ロック板部１１をロック部材４２の出力部４２ｂで挟み込んでテーブル２０の回転位置をロックする第１の回転ロック機構３１に加えて、ロックピン４７をテーブル２０の径方向に進退させてベース１０の周縁に設けたロック孔１２に係合させてテーブル２０の回転位置をロックするポジティブロック式の第２の回転ロック機構３２を備えている。テーブル２０の上面に直交する方向から平面的に見て、第１の回転ロック機構３１のねじ軸部３５は、第２の回転ロック機構３２のロックピン４７に対して同軸に配置されている。これに対して、第１の回転ロック機構３１の伝達ロッド４０は、第２の回転ロック機構３２のロックピン４７に対して径方向側方にずれて平行に配置されている。
【０１０７】
このように、第１の回転ロック機構３１の操作部材３３と第２の回転ロック機構３２の操作部材３４については上下に配置してその操作性を確保しつつ、ベース１０に対する係合部側であって第１の回転ロック機構３１の伝達ロッド４０及びロック部材４２については、第２の回転ロック機構３２のロックピン４７に対して平面的に見て側方へずれて配置することにより、当該第１及び第２の回転ロック機構３１，３２を上下方向にコンパクトに組み込むことができ、ひいてはテーブル２０の上面の高さを低くして当該卓上切断機１の操作性を高めることができる。
【０１０８】
以上例示した実施形態には種々変更を加えることができる。例えば、テーブル２０の回転位置をロックするための機構として、第１の回転ロック機構３１と第２の回転ロック機構３２の２系統の回転ロック機構を有する構成を例示したが、第１の回転ロック機構３１のみによってテーブル２０の回転位置をロックする構成としてもよい。
【０１０９】
第１の回転ロック機構３１において、ねじ軸部３５に対して伝達ロッド４０を径方向側方へずらして、第２の回転ロック機構３２のロックピン４７を配置するためのスペースを確保することによりテーブル２０の高さ方向のコンパクト化を図る構成を例示したが、高さ方向のコンパクト化を考慮しないのであれば、ねじ軸部３５に対して伝達ロッド４０を側方へずらすことなく平面的に見て同軸、若しくは側方から見ても同軸に配置する構成としてもよい。
【０１１０】
第１の回転ロック機構３１において、円柱体形（ノブ形）の操作部材３３を例示したがねじ軸部３５から側方へ張り出すレバー形の操作部材に変更してもよい。
【０１１１】
切断機本体１００を前後にスライド可能な形態の卓上切断機１を例示したが、係るスライド機能を備えない卓上形の切断機について、例示した第１の回転ロック機構３１を適用することができる。また、交流電源式の卓上切断機１を例示したが、充電により繰り返し使用できるバッテリを電源とするバッテリ式の卓上切断機についても同様に適用することができる。
【符号の説明】
【０１１２】
１…卓上切断機
Ｗ…切断材
１０…ベース
１１…ロック板部
１２…ロック凹部
１３…角度目盛り
１４…張り出し部
１４ａ…台座部、１４ｂ…補助台座部、１４ｃ…支持孔、１４ｄ…保持孔
１５…ホルダ金具、１５ａ…前支持部、１５ｂ…後支持部
１６…固定ねじ
２０…テーブル
２０ａ…支持壁部（前側）、２０ｂ…支持壁部（後側）、２０ｃ…ねじ孔
２０ｄ…支持孔、２０ｅ…台座部、２０ｆ…挟み込みリブ、２０ｇ…挿通窓部
２１…回転支軸
２２…刃口板
２３…指針部
２４…挿通溝
３０…回転ロック操作部
３１…第１の回転ロック機構
３２…第２の回転ロック機構
３３…操作部材（第１の回転ロック機構）
３４…操作部材（第２の回転ロック機構）
３４ａ…操作部、３４ｂ…斜面部、３４ｃ…揺動軸部
３５…ねじ軸部、３５ａ…ねじ部
３６…伝達ブラケット（伝達部材）
３６ａ…上側当接部、３６ｂ…下側当接部
３６ｃ…挿通孔（右側）、３６ｄ…挿通溝孔（左側）
３７…固定ねじ
３８…スリーブ部材
３９…操作ノブ
４０…伝達ロッド（伝達部材）
４１…ロッド受け部
４２…ロック部材
４２ａ…入力部、４２ｂ…出力部
４３…支軸
４６…係合軸
４７…ロックピン
４８…圧縮ばね
５０…傾斜固定機構
５１…第１プーリ
５２…スラストベアリング
５３…フランジ
５４…第２プーリ、５４ａ…フランジ部、５４ｂ…係合凹部
５５…伝達ベルト
５６…アイドラ
５７…アームカバー、５７ａ…ベルト押圧部
５８…係合ピン
５９…圧縮ばね
６０…本体支持部
６１…本体支持アーム，６１ａ…ベルト押圧部
６２…傾斜位置決め機構
６３…傾斜受け部
６４…傾斜支持部、６４ａ…挿通孔、６４ｂ…段差部
６５…左右傾斜軸、６５ａ…ねじ軸部
６６，６７…傾斜ストッパボルト
６８…直角位置決め解除ボタン、６８ａ…直角ストッパボルト
６９…直角位置決め部、６９ａ…当接部、６９ｂ…係合部
７０…傾斜位置決めロッド、７０ａ…当接部
７１…圧縮ばね
７２…操作ブラケット
７２ａ…操作ノブ
７３…操作ノブ
７５…スライドバー（上側）
７６…スライドバー（下側）
７７…本体スライダ
７７ａ…本体支持部、７７ｂ…支持筒部、７７ｃ…浅い係合溝、７７ｄ…深い係合溝
７７ｅ…逃がし凹部、７７ｆ…ロック孔
７８…結合部材
７９…伝達ロッド、７９ａ…軸受（後部側）、７９ｂ…軸受（前部側）
８０…位置決めフェンス、８０ａ…位置決め面
８１…基台部、８１ａ…位置決め孔
８２…補助フェンス
８２ａ…位置決めピン部、８２ｂ…クリップ部、８２ｃ…後部、８２ｄ…支持孔
８３…結合部
９０…直角位置決め機構
９１…直角位置決めボルト
９２…支軸
９３…捩じりばね
９４…圧縮ばね
１００…切断機本体
１０１…電動モータ
１０２…刃具
１０３…固定カバー、１０３ａ…刃具１０２の回転方向を示す矢印
１０４…可動カバー、１０４ａ…ボス部
１０５…上下揺動支軸
１０６…捩じりばね
１０７…基台部
１０８…ロック孔
１０９…軸受（ボールベアリング）
１１０…モータハウジング、１１０ａ…吸気口
１１１…固定子
１１２…回転子、１１２ａ…整流子
１１３…モータ軸、１１３ａ…出力ギヤ部
Ｊ…モータ軸線
１１４，１１５…軸受
１１６…冷却ファン
１１７…カーボンブラシ
１２０…ギヤヘッド部
１２１…ギヤハウジング
１２２…第１従動ギヤ
１２３…第１従動軸
１２３ａ，１２３ｂ…軸受
１２４…第２従動ギヤ
１２５…第３従動ギヤ
１２６…第２従動軸
１２６ａ，１２６ｂ…軸受
１２７…第４従動ギヤ
１３０…スピンドル
１３０ａ，１３０ｂ…軸受
１３１…アウタフランジ
１３２…インナフランジ
１３４…刃具固定ねじ
１４０…コントローラ収容部
１４１…コントローラ
１４５…排気口
１５０…ハンドル部
１５１…脚部
１５２…スイッチレバー
１５３…ロックオフスイッチ
１５４…キャリングハンドル
１６０…粉塵ガイド
１６１…本体側接続口、１６１ａ…係合孔
１６２…集塵ホース、Ｈ…集塵ホースの軸線
１６３…接続部材、１６３ａ…溝部
１６４…保持部材、１６４ａ…係合凸部
１６５…接続部材、１６５ａ…溝部
１７０…中継ダクト（ホース中間接続部）
１７１…支持側接続口、１７１ａ…係合孔
１７２…保持部材、１７２ａ…係合凸部
１７３…基台部、１７３ａ…内部通路
１７４…集塵ダクト
１７５…ジョイント
１７６…排出ノズル
１８０…縦バイス
１８１…第１支柱
１８２…第１アーム部
１８３…第２支柱
１８４…第２アーム部
１８５…ねじ軸
１８６…押圧板
１８７…ノブ
２００…下限位置切り替え機構
２０１…ストッパプレート、２０１ａ…つまみ部、２０１ｂ…逃がし孔
２０２…ストッパ支持部
２０３…第１ストッパねじ（前側）
２０４…第２ストッパねじ（後側）
２１０…揺動ロック機構
２１１…ロックピン
２１２…圧縮ばね
２１３…ノブ、２１３ａ…係合凸部
２２０…スライド中間ストッパ機構
２２１…ストッパプレート、２２１ａ…ストッパ部
２２２…支軸
２３０…スライド後端位置ロック機構
２３１…ロックピン、２３１ａ…ノブ
【図１】
2018075692.tif 000003
【図２】
2018075692.tif 000004
【図３】
2018075692.tif 000005
【図４】
2018075692.tif 000006
【図５】
2018075692.tif 000007
【図６】
2018075692.tif 000008
【図７】
2018075692.tif 000009
【図８】
2018075692.tif 000010
【図９】
2018075692.tif 000011
【図１０】
2018075692.tif 000012
【図１１】
2018075692.tif 000013
【図１２】
2018075692.tif 000014
【図１３】
2018075692.tif 000015
【図１４】
2018075692.tif 000016
【図１５】
2018075692.tif 000017
【図１６】
2018075692.tif 000018
【図１７】
2018075692.tif 000019
【図１８】
2018075692.tif 000020
【図１９】
2018075692.tif 000021
【図２０】
2018075692.tif 000022
【図２１】
2018075692.tif 000023
【図２２】
2018075692.tif 000024
【図２３】
2018075692.tif 000025
【図２４】
2018075692.tif 000026
【図２５】
2018075692.tif 000027
【図２６】
2018075692.tif 000028
【図２７】
2018075692.tif 000029
【図２８】
2018075692.tif 000030
【図２９】
2018075692.tif 000031
【図３０】
2018075692.tif 000032
【図３１】
2018075692.tif 000033
【図３２】
2018075692.tif 000034
【図３３】
2018075692.tif 000035
【図３４】
2018075692.tif 000036
【図３５】
2018075692.tif 000037
【図３６】
2018075692.tif 000038
【図３７】
2018075692.tif 000039
【図３８】
2018075692.tif 000040
【手続補正書】
【提出日】平成29年3月31日(2017.3.31)
【手続補正１】
【補正対象書類名】明細書
【補正対象項目名】００６７
【補正方法】変更
【補正の内容】
【００６７】
第２従動ギヤ１２４は、第３従動ギヤ１２５に噛み合わされている。第３従動ギヤ１２５は、第２従動軸１２６上に固定されている。第２従動軸１２６は、軸受１２６ａ，１２６ｂを介してギヤハウジング１２１に回転可能に支持されている。第２従動軸１２６は第１従動軸１２３に平行に配置されている。第３従動ギヤ１２５は、第４従動ギヤ１２７に噛み合わされている。第４従動ギヤ１２７は、スピンドル１３０上に固定されている。スピンドル１３０は、軸受１３０ａ，１３０ｂを介してギヤハウジング１２１の下部に回転可能に支持されている。スピンドル１３０は、第１及び第２従動軸１２３，１２６と平行に配置されている。
【手続補正２】
【補正対象書類名】図面
【補正対象項目名】図５
【補正方法】変更
【補正の内容】
【図５】
2018075692.tif 000041